(57)【特許請求の範囲】
【請求項１】
半円弧状を有する一組の角筒導体部材が間に当該角筒導体部材と物理的に接触する電気絶縁部材を介在した状態で一体化され、前記角筒導体部材の延在方向両端部にブロック状の接続部が設けられた一方側の構成部材と、
半円弧状を有する一組の角筒導体部材が間に当該角筒導体部材と物理的に接触する電気絶縁部材を介在した状態で一体化され、前記角筒導体部材の延在方向両端部に前記一方側の構成部材の接続部に対応するブロック状の接続部が設けられ、前記一方側の構成部材と対を成す他方側の構成部材と、を備え、
前記一方側の構成部材における角筒導体部材の半円弧状部分の半円中心に対して前記他側の構成部材を１８０度の位置に対向配置し、前記一方側の構成部材の接続部と前記他方側の構成部材の接続部とを接続することにより略円筒形の２ターン加熱誘導子を形成するとともに、２ターン加熱誘導子の内周部に被加熱部材を囲む加熱部を構成し、
前記角筒導体部材に高周波電源を接続し、当該高周波電源から２ターン加熱誘導子に供給される高周波電力により被加熱部材表面を加熱するとともに、前記角筒導体部材間に挟まれた絶縁部材に対向する被加熱部材表面の加熱を軽減し、当該被加熱部材表面の加熱深さ及び加熱幅を均一化することを特徴とする加熱誘導子。
【請求項２】
略半円筒を形成するように複数組の半円弧状を有する角筒導体部材が間に当該角筒導体部材と物理的に接触する電気絶縁部材を介在させた状態で一体化され、前記角筒導体部材の延在方向両端部にブロック状の接続部が設けられた一方側の構成部材と、
略半円筒を形成するように複数組の半円弧状を有する角筒導体部材が間に当該角筒導体部材と物理的に接触する電気絶縁部材を介在させた状態で一体化され、前記角筒導体部材の延在方向両端部に前記一方側の半円弧状加熱誘導子構成部材の接続部に対応するブロック状の接続部が設けられ、前記一方側の構成部材と対を成す他方側の構成部材と、を備え、
前記一方側の構成部材における角筒導体部材の半円弧状部分の半円中心に対して前記他側の構成部材を１８０度の位置に対向配置し、前記一方側の構成部材の接続部と前記他方側の構成部材の接続部とを接続することにより略円筒形の複数ターン加熱誘導子を形成するとともに、複数ターン加熱誘導子の内周部に被加熱部材を囲む加熱部を構成し、
前記角筒導体部材に高周波電源を接続し、当該高周波電源から複数ターン加熱誘導子に供給される高周波電力により、被加熱部材表面を加熱するとともに、前記角筒導体部材間に挟まれる絶縁部材に対向する被加熱部材表面の加熱を軽減し、当該被加熱部材表面の加熱深さ及び加熱幅を均一化することを特徴とする加熱誘導子。
【発明の詳細な説明】
【０００１】
【産業上の利用分野】
本発明は、加熱誘導子に係り、詳細には、クランクシャフトのピンジャーナル部分の焼入れに好適な加熱誘導子に関する。
【０００２】
【従来の技術】
従来、クランクシャフトのようにピン部やジャーナル部の径が小さい場合の被焼入れ部の加熱用コイルとしては、例えば、本出願人によって先に出願された特公昭４８−１４２１６号公報に記載された「高周波加熱処理分割型誘導子」があり、また、特公昭５６−２４３５６号公報に記載された「二次誘導子組合せ型誘導加熱コイル」がある。
【０００３】
すなわち、前者の場合、１ターン誘導子を３分割として焼入時に分割した内の可動コイルをシリンダーにより他方の固定コイルの端面に渉触させて誘導子を構成する構造である。また、後者の場合は、一次誘導子と二次誘導子とを移動可能に組合せることによって、所定対向面を被加熱部材の周に沿う構成の加熱部を形成し、その加熱部を構成する一次誘導子側の加熱導体の被加熱部材への対向面と二次誘導子側の加熱導体とを相対的に変化させることによって、被加熱部材に所望の形状の焼入層を得られるようにしている。
【０００４】
しかし、この加熱コイルの場合、通常のクランクシャフトのピン部やジャーナル部を加熱する場合には問題ないが、ピン部に接続する連結部のショルダが極めて小質量の形状を有するクランクシャフトを加熱する場合は、ピン部のトップ側に連結するショルダ部分までが加熱されてしまい、急冷、焼入れ時にショルダ部分の焼割れが生じたり、焼割れを生じないまでも硬度が高くなっているため、使用時に欠けが発生する等の問題が発生する。
【０００５】
【発明が解決しようとする課題】
しかしながら、上記従来のクランクシャフトのピン部やジャーナル部の径が小さい被焼入れ部の加熱用コイルにあっては、前者は、分割誘導子で常時一定の押圧力で誘導子を構成する構造であり、後者は、一次誘導子と二次誘導子を備え、その一次誘導子と二次誘導子の被加熱部材との相対位置関係を調整し、あるいは一次誘導子と二次誘導子の形状を調整して焼入れ部を調整する構成となっていたため、以下に述べるような問題点があった。
【０００６】
（１）焼入れ幅のバラツキが大きい。
【０００７】
すなわち、図１０に示すように、円周状での焼入れ幅のバラツキが３〜４ｍｍ程度と大きく、油穴部近傍での焼入れ幅が大きくなる。これは、被加熱部材のセットの度に、分割誘導子を渉触して、１ターン誘導子を構成するため、誘導子の接触可能な面積は、誘導子を構成する部材の両端切断面の接触でしかないため、分割コイルの被加熱部材に対向する加熱部の接点当りが変動し、その接点の接触面積が一定せず、被加熱部材表面に誘導される電流が不安定になって、接点部分で加熱される被加熱部の焼入れ幅が一定しなくなる。
【０００８】
（２）焼入れ深さが深くなる。
【０００９】
すなわち、図１１に焼入層の断面を示すように、焼入れ深さが３〜４ｍｍ程度と深くなる。これは、加熱コイルが１ターンコイルのため、そのコイル幅中央部における磁束発生が密になり、コイル幅中央部に対向する被加熱部材の焼入れ深さが深くなる傾向にある。このため、ジャーナル部に設けられている油穴がオーバーヒートして、図１２に示すように油穴に割れが生じる場合がある。
【００１０】
（３）焼入れした後の被加熱部材の熱変形が、０．５〜０．６ｍｍと大きい。
このため、焼入れした後に、この歪みを取るための再加工が必要になる。
【００１１】
（４）加熱コイルが大きいため、狭い間隔の被加熱部を加熱することができない。
【００１２】
すなわち、従来の加熱コイルの場合、被加熱部材の加熱部の幅が、例えば、図１３に示すように、１８ｍｍ位までの物は加熱可能であるが、加熱部の幅が１８ｍｍ以下の物の場合は、上記（２）と同様に、加熱誘導子の厚みを薄くすると、電力の集中が起き、焼入れ深さが深くなるため、加熱することができない。
【００１３】
このため、加熱コイルの消耗が早く、繰り返し使用可能加熱回数が５万回程度で交換する必要がある。
【００１４】
〔目的〕
本発明は、上記従来の多くの課題を解決し、構造が複雑なクランクシャフトのジャーナル部等に良好な焼入層を形成することができる加熱誘導子を提供することを目的とする。
【００１５】
【課題を解決するための手段】
本発明の手段は次の通りである。
【００１６】
請求項１記載の発明は、
半円弧状を有する一組の角筒導体部材が間に当該角筒導体部材と物理的に接触する電気絶縁部材を介在した状態で一体化され、前記角筒導体部材の延在方向両端部にブロック状の接続部が設けられた一方側の構成部材と、
半円弧状を有する一組の角筒導体部材が間に当該角筒導体部材と物理的に接触する電気絶縁部材を介在した状態で一体化され、前記角筒導体部材の延在方向両端部に前記一方側の構成部材の接続部に対応するブロック状の接続部が設けられ、前記一方側の構成部材と対を成す他方側の構成部材と、を備え、
前記一方側の構成部材における角筒導体部材の半円弧状部分の半円中心に対して前記他側の構成部材を１８０度の位置に対向配置し、前記一方側の構成部材の接続部と前記他方側の構成部材の接続部とを接続することにより略円筒形の２ターン加熱誘導子を形成するとともに、２ターン加熱誘導子の内周部に被加熱部材を囲む加熱部を構成し、
前記角筒導体部材に高周波電源を接続し、当該高周波電源から２ターン加熱誘導子に供給される高周波電力により被加熱部材表面を加熱するとともに、前記角筒導体部材間に挟まれた絶縁部材に対向する被加熱部材表面の加熱を軽減し、当該被加熱部材表面の加熱深さ及び加熱幅を均一化することを特徴としている。
【００１７】
請求項２記載の発明は、
略半円筒を形成するように複数組の半円弧状を有する角筒導体部材が間に当該角筒導体部材と物理的に接触する電気絶縁部材を介在させた状態で一体化され、前記角筒導体部材の延在方向両端部にブロック状の接続部が設けられた一方側の構成部材と、
略半円筒を形成するように複数組の半円弧状を有する角筒導体部材が間に当該角筒導体部材と物理的に接触する電気絶縁部材を介在させた状態で一体化され、前記角筒導体部材の延在方向両端部に前記一方側の半円弧状加熱誘導子構成部材の接続部に対応するブロック状の接続部が設けられ、前記一方側の構成部材と対を成す他方側の構成部材と、を備え、
前記一方側の構成部材における角筒導体部材の半円弧状部分の半円中心に対して前記他側の構成部材を１８０度の位置に対向配置し、前記一方側の構成部材の接続部と前記他方側の構成部材の接続部とを接続することにより略円筒形の複数ターン加熱誘導子を形成するとともに、複数ターン加熱誘導子の内周部に被加熱部材を囲む加熱部を構成し、
前記角筒導体部材に高周波電源を接続し、当該高周波電源から複数ターン加熱誘導子に供給される高周波電力により、被加熱部材表面を加熱するとともに、前記角筒導体部材間に挟まれる絶縁部材に対向する被加熱部材表面の加熱を軽減し、当該被加熱部材表面の加熱深さ及び加熱幅を均一化することを特徴としている。
【００１９】
【作用】
本発明の手段の作用は次の通りである。
【００２０】
請求項１記載の発明によれば、
半円弧状を有する一組の角筒導体部材が間に当該角筒導体部材と物理的に接触する電気絶縁部材を介在した状態で一体化され、前記角筒導体部材の延在方向両端部にブロック状の接続部が設けられた一方側の構成部材と、半円弧状を有する一組の角筒導体部材が間に当該角筒導体部材と物理的に接触する電気絶縁部材を介在した状態で一体化され、前記角筒導体部材の延在方向両端部に前記一方側の構成部材の接続部に対応するブロック状の接続部が設けられ、前記一方側の構成部材と対を成す他方側の構成部材と、を備え、前記一方側の構成部材における角筒導体部材の半円弧状部分の半円中心に対して前記他側の構成部材を１８０度の位置に対向配置し、前記一方側の構成部材の接続部と前記他方側の構成部材の接続部とを接続することにより略円筒形の２ターン加熱誘導子を形成し、この２ターン加熱誘導子の形状、幅、又は電気絶縁部材の厚さを調整することで、被加熱部材表面の焼入れ幅及び焼入れ深さを選択することができる。
【００２１】
また、角筒導体部材の延在方向両端部にブロック状の接続部が設けられたことで、一方側の構成部材の角筒導体部材と他方側の構成部材の角筒導体部材とを強固に接続することができるため、加熱部の接点当たりの変動を抑え、接続部分の接触面積を確実に確保することができ、常に一定の電流を加熱誘導子に供給することができる。
【００２３】
したがって、被加熱部材表面の任意位置を選択的に加熱焼入れ処理することができるとともに、その焼入層の幅方向及び深さ方向をより均一かつ浅く形成することができる。
【００２４】
その結果、加熱焼入れ処理を行った後の被加熱部材の熱変形度合を従来に比べて格段に小さくすることができ、従来のように油穴に割れ等を発生させることを回避することができるとともに、歪みを取るための加工処理も省略することができる。
【００２６】
【実施例】
以下、本発明の好適な実施例を図を参照して説明する。
【００２７】
図１〜図９は、本発明の加熱誘導子としての加熱コイルの一実施例を示す図である。
【００２８】
図１は、加熱コイル１を構成する各構成部材を分割した状態の外観斜視図である。図１において、加熱コイル１は、半円弧状を有する一組の角筒導体部材２、３が間に角筒導体部材２、３と物理的に接触し角筒導体部材２、３間を電気的に絶縁する電気絶縁部材としての絶縁部材６を介在した状態で一体化され、角筒導体部材２、３の延在方向両端部にブロック状の接続部１１、１２、１３が設けられ、電流供給ケーブル（図示せず）が電流供給部３′に接続された一方側の構成部材としての半円弧状誘導子８と、半円弧状を有する一組の角筒導体部材４、５が間に角筒導体部材４、５と物理的に接触し角筒導体部材４、５間を電気的に絶縁する電気絶縁部材としての絶縁部材７を介在した状態で一体化され、角筒導体部材４、５の延在方向両端部に半円弧状誘導子８の接続部１１、１２、１３に対応するブロック状の接続部１４、１５、１６が設けられて電流供給ケーブル（図示せず）が電流供給部２′に接続され、半円弧状誘導子８と対を成す他方側の構成部材としての半円弧状誘導子９と、により構成されている。
【００２９】
図１、３において、半円弧状誘導子８における角筒導体部材２、３の半円弧状部分の半円中心に対して半円弧状誘導子９を１８０度の位置に対向配置し、半円弧状誘導子８の接続部１１、１２、１３と半円弧状誘導子９の接続部１４、１５、１６とを接続することにより、図２に示すように２ターンコイル２０を形成し、電流供給部２′、３′に接続される電流供給ケーブルを介して供給される供給電流Ｉは、図２に示す矢印方向に流れる。
【００３０】
また、この２ターンコイル２０の内周には、被加熱部材を非接触状態で囲む加熱部２０ａが形成され、電流供給ケーブルを介して供給される供給電流により加熱部２０ａに囲まれる被加熱部材表面に誘導電流を発生させて被加熱部材表面を加熱することによって、焼入れを行う。
【００３１】
なお、絶縁部材６、７には、ポリエステルガラスクロスやＩＧ板等が利用される。
【００３２】
図３は、図１の加熱コイル１を構成する半円弧状誘導子８、９に水冷ジャケット２１、２２を取り付けた状態の外観斜視図である。
【００３３】
この水冷ジャケット２１、２２は、半円弧状誘導子８、９をそれぞれ図中上下方向から覆うように取り付けられ、各水冷ジャケット２１、２２には、２ヶ所づつ焼入水を供給する焼入水取入口２１ａ、２１ｂ、２２ａ、２２ｂが設けられている。これらの焼入水取入口２１ａ、２１ｂ、２２ａ、２２ｂは、それぞれ水冷ジャケット２１、２２内を貫通して形成された放水孔（図示せず）に通じており、図中加熱部２０ａに囲まれる被加熱部材表面に対して焼入水を放出するように形成されている。
【００３４】
したがって、本実施例の加熱コイル１では、水冷ジャケット２１、２２を取り付け可能としたため、加熱部２０ａに囲まれて加熱焼入れ後の被加熱部材表面は、焼入水取入口２１ａ、２１ｂ、２２ａ、２２ｂを通して放水孔から放射される焼入水により冷却されるとともに、半円弧状誘導子８、９自信も焼入水によって冷却されるため、繰り返し使用する場合の使用回数を従来の加熱しないコイルに比べてコイルの多くすることができ、コイルの寿命を延ばすことができる。
【００３５】
また、図中“Ａ，Ｂ，Ｃ”で示す矢印は、加熱部２０ａにセットされて加熱される被加熱部材の焼入れ状態を比較する際に基準となる加熱位置を示している。
次に、本実施例の動作を説明する。
【００３６】
以下、本実施例の加熱コイル１を利用してクランクシャフトのジャーナル部を加熱焼入れする場合について説明する。
【００３７】
まず、上記図１に示したように、本実施例の加熱コイル１は、従来のように形状の異なる一次誘導子と二次誘導子から構成されるものではなく、略同一構成の半円弧状誘導子８、９から構成され、複数ターンの加熱コイルであるため、ジャーナル部の幅が狭く小径のクランクシャフトに対しても、そのジャーナル部の幅及び径に合わせて、２ターンコイル２０を形成する上記図１に示した角筒導体部材２〜５の半円弧状部分の半径と幅、及び半円弧状誘導子８の角筒導体部材２、３の間に挟まれる絶縁部材６及び半円弧状誘導子９の角筒導体部材４、５の間に挟まれる絶縁部材７の幅又は形状を設計変更するだけで、容易に対応することができる構成となっている。
【００３８】
このため、本実施例の加熱コイル１を利用することによって、上記従来の図１３に示した加熱要部の幅が１８ｍｍ以下の被加熱物に対しても容易に対応することができるとともに、幅の狭い小径部の円周表面を一度に短時間で加熱して焼入れすることができるため、従来に比べて供給電力を抑えることができる。
【００３９】
本実施例の加熱コイル１の加熱部２０ａに通して加熱焼入れ処理したクランクシャフトのジャーナル部における焼入れ層の状態の一例を図４〜図６に示す。これらの図は、加熱焼入れ処理されたジャーナル表面をエッチング処理して焼入れ層と非焼入れ層を明確にしたものである。
【００４０】
まず、図４は、上記図３に示した加熱部２０ａを形成する内周において加熱されたクランクシャフトのジャーナル部表面の一部を示す図である。この図４において、ジャーナル部には、油穴が設けられており、図４において示される“Ａ部，Ｂ部，Ｃ部”は、それぞれ上記図３に示した加熱部２０ａの加熱位置に対向する位置を示している。
【００４１】
また、図５（ａ）、（ｂ）は、その加熱焼入れ処理されたジャーナル部の“Ａ部，Ｂ部”の焼入層の断面を示す図であり、図６（ａ）〜（ｃ）は、その加熱焼入れ処理されたジャーナル部の“Ｃ部”の焼入層の断面を示す図である。
【００４２】
したがって、本実施例の加熱コイル１を利用して加熱焼入れ処理をすると、図４に示すジャーナル部の焼入れ層の幅方向及び図５及び図６に示すジャーナル部の焼入れ層の深さ方向を、従来の加熱コイルを加熱焼入れした場合に比べて均一かつ浅く（２．５〜３．０ｍｍ程度）形成することができる。
【００４３】
その結果、加熱焼入れ処理を行った後のジャーナル部の熱変形度合を従来に比べて格段に小さくすることができ、従来のように油穴に割れ等を発生させることを回避することができるとともに、歪みを取るための加工処理も省略することができる。
【００４４】
その焼入れ層の浅さ及び熱変形の少なさを利用して、例えば、図７に示すように、ネジ穴が形成されて薄い肉厚部分の加熱焼入れ処理を行ったとしても、ネジ穴の形状を歪ませることなく、必要な部分だけ焼入層を形成することができる。
さらに、本実施例の加熱コイル１は、２ターンコイル２０を構成する半円弧状誘導子８の角筒導体部材２、３の間に絶縁部材６及び半円弧状誘導子９の角筒導体部材４、５の間に絶縁部材７を挟むことによって、各ターン内周毎に分離した加熱部２０ａを形成するようにしたため、その絶縁部材６、７の幅を調整することにより、例えば、図８に示すように、各ターン内周毎の加熱部２０ａに対向する被加熱部材表面の任意の位置に２箇所の焼入層を形成することができる。
【００４５】
また、図９に示すように、油穴を避けるように２ターンコイルの間隔を設計することもでき、油穴を避けて加熱焼入れ処理をすることもできる。このように油穴を避けた焼入れ処理を可能とすることにより、加熱焼入れ処理をした後に油穴の面とり加工を０．５〜１．０ｍｍ程度行ったしても、その焼入層が油穴に達していないため、焼割れ等の発生を避けることができる。
【００４６】
さらに、本実施例の加熱コイル１では、加熱焼入れ処理後は、水冷ジャケット２１、２２の焼入水取入口２１ａ、２１ｂ、２２ａ、２２ｂから注入されて放水孔から放射される焼入水により加熱部２０ａを通される被加熱部材と加熱コイル１を構成する半円弧状誘導子８、９自信も冷却するようにしたため、コイルの繰り返し使用可能加熱回数を従来の５万回程度から２０万回程度と大幅に長寿命化することができる。
【００４７】
以上本発明によってなされた発明を実施例に基づき具体的に説明したが、本発明は上記実施例に限定されるものではなく、その要旨を逸脱しない範囲で種々変更可能であることはいうまでもない。例えば、上記加熱コイル１を２ターンコイル構成としたが、略半円筒を形成するように複数組の半円弧状を有する角筒導体部材が間に角筒導体部材と物理的に接触する電気絶縁部材を介在させた状態で一体化され、角筒導体部材の延在方向両端部にブロック状の接続部が設けられた一方側の半円弧状誘導子と、略半円筒を形成するように複数組の半円弧状を有する角筒導体部材が間に角筒導体部材と物理的に接触する電気絶縁部材を介在させた状態で一体化され、角筒導体部材の延在方向両端部に一方側の半円弧状誘導子の接続部に対応するブロック状の接続部が設けられ、一方側の半円弧状誘導子と対を成す他方側の半円弧状加熱誘導子と、を備え、前記一方側の半円弧状誘導子における角筒導体部材の半円弧状部分の半円中心に対して他方側の半円弧状誘導子を１８０度の位置に対向配置し、一方側の半円弧状誘導子の接続部と他方側の半円弧状誘導子の接続部とを接続して３〜４ターン（複数ターン）のコイル構成としてもよい。
【００４８】
この３〜４ターンコイル構成とした場合は、被加熱部材表面の複数ヶ所をより多く選択的に加熱焼入れ処理することができる。
【００４９】
【発明の効果】
本発明によれば、被加熱部材表面の任意位置を選択的に加熱焼入れ処理することができるとともに、その焼入層の幅方向及び深さ方向をより均一かつ浅く形成することができる。
【００５０】
その結果、加熱焼入れ処理を行った後の被加熱部材の熱変形度合を従来に比べて格段に小さくすることができ、従来のように被加熱部材の油穴に割れ等を発生させることを回避することができるとともに、歪みを取るための加工処理も省略することができる。
【００５１】
さらに、加熱焼入れ処理後は、水冷ジャケットから放射される焼入水により被加熱部材と加熱部を構成する半円弧状誘導子を同時に冷却することができるため、加熱コイルの繰り返し使用可能加熱回数を増やして大幅に長寿命化することができる。
【図面の簡単な説明】
【図１】本発明の加熱コイルを構成する各構成部材を分割した状態の外観斜視図。
【図２】図１の加熱コイルにおいて形成される２ターンコイルを示す図。
【図３】図１の加熱コイルを構成する半円弧状誘導子に水冷ジャケットを取り付けた状態の外観斜視図。
【図４】図３の加熱部を形成する内周において加熱されたクランクシャフトのジャーナル部表面の一部を示す図。
【図５】図４のジャーナル部の“Ａ部，Ｂ部”の焼入層の断面を示す図。
【図６】図４のジャーナル部の“Ｃ部”の焼入層の断面を示す図。
【図７】ネジ穴が形成されている薄い肉厚部分に対して加熱焼入れ処理した場合の焼入層の断面を示す図。
【図８】２ターン内周加熱部に対向して加熱焼入れ処理された被加熱部材の焼入層の断面を示す図。
【図９】油穴に合わせて構成した２ターン内周加熱部に対向して加熱焼入れ処理された被加熱部材の焼入層の断面を示す図。
【図１０】従来の加熱コイルによって加熱焼入れ処理された被加熱部材の円周状での焼入れ幅の様子を示す図。
【図１１】図１０の焼入層の断面を示す図。
【図１２】従来の加熱コイルによって加熱焼入れ処理された油穴を有する被加熱部材の円周状での焼入れの様子を示す図。
【図１３】従来の加熱コイルによって加熱焼入れ処理が可能な被加熱部材の加熱幅を示す図。
【図１】
0003595353.tif 000002
【図２】
0003595353.tif 000003
【図３】
0003595353.tif 000004
【図４】
0003595353.tif 000005
【図５】
0003595353.tif 000006
【図６】
0003595353.tif 000007
【図７】
0003595353.tif 000008
【図８】
0003595353.tif 000009
【図９】
0003595353.tif 000010
【図１０】
0003595353.tif 000011
【図１１】
0003595353.tif 000012
【図１２】
0003595353.tif 000013
【図１３】
0003595353.tif 000014